Podtech/llm-jp-corpus-v4-ja_patent huggingface dataset:
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
アーチ状の表面を含む支持体と、
ファンフォールドストック材料を低密度ダンネージに変換するダンネージ変換機によって前記ファンフォールドストック材料のスタックの第１の端部から前記ファンフォールドストック材料を引き出すことが可能な前記ファンフォールドストック材料のスタックを保持する支持体に隣接して延在する複数の側壁と、を含み、
前記アーチ状の表面はストック材料のスタックの幅の２０％未満の高さを有し、
前記アーチ状の表面は、前記ファンフォールドストック材料の形状を非平面構成に操作し、
前記非平面構成は、前記ファンフォールドストック材料のスタックの第１の端部からファンフォールドを横切る方向に、かつ、前記ファンフォールドストック材料のスタックの第１の端部に垂直でない方向に、前記ファンフォールドストック材料を引っ張られると、
前記ファンフォールドストック材料のファンフォールドを展開に抵抗するように曲げて、
前記ファンフォールドストック材料のスタックから引き出されたストック材料の折り畳まれていない部分に吹きつける気流からのランアウトに抵抗する、
ダンネージマシーン供給ステーション。
【請求項２】
前記支持体は、前記ファンフォールドストック材料を下流方向に凸状に操作する、請求項１に記載のダンネージマシーン供給ステーション。
【請求項３】
前記アーチ状の表面は、前記ファンフォールドストック材料のスタックの底部を支持する、請求項２に記載のダンネージマシーン供給ステーション。
【請求項４】
前記アーチ状の表面は、前記ファンフォールドストック材料を支持するように構成されたシート材料のアーチ形状の部分である、請求項３に記載のダンネージマシーン供給ステーション。
【請求項５】
前記アーチ状の表面は、前記ファンフォールドストック材料の幅の２０％までの高さを有する、請求項３に記載のダンネージマシーン供給ステーション。
【請求項６】
前記複数の側壁のうちの２つは、前記ファンフォールドストック材料の幅よりも狭い間隔で分離される、請求項１に記載のダンネージマシーン供給ステーション。
【請求項７】
複数のファンフォールドストック材料の別個のスタックを支持し、
前記複数のファンフォールドストック材料の別個のスタックのうちの１つ以上は、非平面構成を有する、請求項１に記載のダンネージマシーン供給ステーション。
【請求項８】
前記ファンフォールドストック材料の複数のスタックは、互いにデイジーチェーン接続されている、請求項７に記載のダンネージマシーン供給ステーション。
【請求項９】
アーチ形状の表面が、前記アーチ形状の表面の上にスタックされたファンフォールドストック材料の複数の別個のスタックを有する供給ステーションの基部表面を形成する、請求項７に記載のダンネージマシーン供給ステーション。
【請求項１０】
前記ダンネージマシーン供給ステーションは、前記ファンフォールドストック材料が前記ファンフォールドストック材料のスタックから取り外されるときに、前記ファンフォールドストック材料の動きに抵抗する抵抗メカニズムを含む、請求項１に記載のダンネージマシーン供給ステーション。
【請求項１１】
前記ファンフォールドストック材料は、前記ファンフォールドストック材料のスタックに近接するファンフォールド部分と、前記ファンフォールドストック材料の前記ファンフォールド部分から離れるように延在し折り畳まれていない部分とを含み、
前記ファンフォールドストック材料のスタックが、前記ダンネージマシーン供給ステーションからの引き出しによって前記ファンフォールドストック材料が展開されると、前記ダンネージマシーン供給ステーションのスタックから引き出されたストック材料の折り畳まれていない部分に吹きつける気流からのランアウトに抵抗する非平面構成をとるように、前記ファンフォールドストック材料のスタックを保持するように構成される、請求項１０に記載のダンネージマシーン供給ステーション。
【請求項１２】
請求項１に記載のダンネージマシーン供給ステーションと、
前記ダンネージマシーン供給ステーションに供給されたストック材料と、
前記ダンネージマシーン供給ステーションからストック材料を取り出し、ストックシート材料を低密度ダンネージに変換するダンネージ変換機と、
を含むダンネージシステム。
【請求項１３】
前記複数の側壁のうちの２つが、前記ファンフォールドストック材料のスタックの幅の一部にわたって横方向に延びて前記ファンフォールドストック材料のスタックを支持し、
前記２つの側壁は、前記ダンネージマシーン供給ステーションを積載するための開位置と、前記ファンフォールドストック材料のスタックのそれぞれの外側横端を支持するための閉位置とに調整可能である、請求項１に記載のダンネージマシーン供給ステーション。
【請求項１４】
前記アーチ状の表面は、横方向にアーチ状になっており、
前記支持体は、前記ファンフォールドストック材料のスタックの下方に配置され、前記ファンフォールドストック材料のスタックの第１の端部に対向する第２の端部が前記支持体に接触し、前記ファンフォールドストック材料のスタックの重量により、前記ファンフォールドストック材料のスタックが前記アーチ状の表面にたるむことにより、非平面構成をとるようになっており、
前記複数の側壁のうちの第１の対は、互いに平行かつ対向し、前記ファンフォールドストック材料のスタックの高さに沿って、前記ファンフォールドストック材料のスタックの横方向の端部を支持し、前記ファンフォールドストック材料のスタックを収容するために前記支持体から上方に延び、前記支持体に支持されている前記ファンフォールドストック材料をスタックの第１の端部から引き出すようになっている、請求項１に記載のダンネージマシーン供給ステーション。
【請求項１５】
前記複数の壁の第１の対が複数の別個のスタックのストック材料を支持するように上方に延在する、請求項１４に記載のダンネージマシーン供給ステーションと、
前記ダンネージマシーン供給ステーションに供給された複数の別個のストック材料のスタックと、を備え、
前記アーチ状の表面は、前記複数の別個のスタックの第１のスタックの形状を非平面構成に操作し、前記第１のスタックの上に配置された前記複数の別個のスタックの追加のスタックは、前記第１のスタックの形状に適合する、
ダンネージシステム。
【手続補正２】
【補正対象書類名】明細書
【補正対象項目名】発明の名称
【補正方法】変更
【補正の内容】
【発明の名称】ダンネージマシーン供給ステーション及びダンネージシステム
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
ストック材料を供給ステーションから長手方向に引っ張り、前記ストック材料を低密度ダンネージに変換するダンネージ変換ステーションを含むダンネージシステムであって、
前記ダンネージ変換ステーションは、
ストック材料が引っ張られ、吸気部を通るように、前記ストック材料を収縮させる開口部を規定する外側構造を有する前記吸気部と、
前記吸気部の上流かつ前記ダンネージ変換ステーションの上流部に配置され、前記供給ステーションから引っ張られた前記ストック材料を、前記長手方向に対して略横方向に延びる横軸の周りに曲げる成形部材と、
を含み、
前記成形部材は、支持構造と、中央突出部とを含み、
前記支持構造は、前記横軸と略同じ方向に延在し、前記ストック材料を前記横軸の周りに曲げ、
前記支持構造の表面から放射状に広がる前記中央突出部は、前記支持構造よりも前記ストック材料の屈曲部内により深く突出し、前記ストック材料が前記支持構造および前記中央突出部を横切って長手方向に移動可能なように、前記ストック材料を、前記横軸と、ストック材料内のほぼ中央に長手方向に延在する長手方向軸との両方の周りに曲げる、ダンネージシステム。
【請求項２】
前記ダンネージ変換ステーションは、前記ストック材料を前記吸気部内に引っ張るように動作可能な駆動メカニズムをさらに備える、請求項１に記載のダンネージシステム。
【請求項３】
前記吸気部は、前記成形部材と前記駆動メカニズムとの間に配置された開口部を規定する構造部材を含み、
前記開口部は、前記ストック材料が前記吸気部内に引き込まれ、前記吸気部を通って長手方向に引っ張られるときに、前記ストック材料を収縮させる、請求項２に記載のダンネージシステム。
【請求項４】
前記成形部材は、前記ストック材料が前記吸気部内に引っ張られる前に曲がり始めるか、またはカールし始めるように前記ストック材料の経路を操作する、請求項１に記載のダンネージシステム。
【請求項５】
前記支持構造は、横方向に延びる円筒形状の棒である、請求項１に記載のダンネージシステム。
【請求項６】
前記中央突出部は、
半円形状の突出部であり、
前記支持構造の横方向に延在する軸に垂直な軸を有する、請求項１に記載のダンネージシステム。
【請求項７】
前記中央突出部は、前記支持構造の長さの１／１０以上１／２以下の間隔で前記支持構造の表面から離れて延在する、請求項１に記載のダンネージシステム。
【請求項８】
前記中央突出部は、前記吸気部に対して上流方向に、前記支持構造の中心軸を通る水平面から１５°以上７５°以下で延在する、請求項１に記載のダンネージシステム。
【請求項９】
前記成形部材は、前記成形部材から延びる接続部材によって前記吸気部に接続される、請求項１に記載のダンネージシステム。
【請求項１０】
前記成形部材は、前記ストック材料が前記供給ステーションから前記吸気部を通して引っ張られるとき、前記ストック材料の向きを変えるように配置される、請求項１に記載のダンネージシステム。
【請求項１１】
前記成形部材は、前記開口部よりも２倍以上８倍以下の広さである、請求項４に記載のダンネージシステム。
【請求項１２】
前記ストック材料の幅を有する前記ストック材料を保持するように構成された前記供給ステーションを含む、請求項１に記載のダンネージシステム。
【請求項１３】
前記支持構造は、前記ストック材料の全幅未満にわたって延在する、請求項１２に記載のダンネージシステム。
【請求項１４】
前記支持構造は、前記ストック材料の全幅を超えて延在する、請求項１２に記載のダンネージシステム。
【請求項１５】
前記支持構造は、横方向の自由端を含み、
前記自由端は、前記ストック材料が前記自由端の周りに巻き付くことを可能にする、請求項１３に記載のダンネージシステム。
【請求項１６】
前記供給ステーションは、前記成形部材の幅よりも広いストック材料を保持するように構成される、請求項１２に記載のダンネージシステム。
【請求項１７】
前記ダンネージ変換ステーションは、
横方向障壁部材と、
駆動メカニズムと、
を有し、
前記横方向障壁部材は、前記吸気部に引き込まれ、前記吸気部を通る前記ストック材料の横幅に対応する方向に前記外側構造から延在し、前記ストック材料を有意に拘束することなく前記ストック材料が前記外側構造の周りに巻き付く傾向を制限するようにし、
前記駆動メカニズムは、変換ステーションの下流に配置され、前記吸気部を通る前記ストック材料を受け取り、引っ張る、
請求項１に記載のダンネージシステム。
【請求項１８】
前記横方向障壁部材は、前記吸気部から横方向に突出し、前記吸気部の高さよりも低い複数の耳部を含む、請求項１７に記載のダンネージシステム。
【請求項１９】
少なくとも１つの前記耳部が、スタンドへの取り付け部を形成する、請求項１８に記載のダンネージシステム。
【請求項２０】
前記成形部材は、
前記吸気部の上流に配置され、
前記吸気部に引っ張られる前に前記ストック材料が曲がり始めるか、またはカールし始めるように、経路に沿って前記ストック材料を操作するように構成される、請求項１７に記載のダンネージシステム。
【請求項２１】
前記ダンネージ変換ステーションは、
前記吸気部に引き込まれ、前記吸気部を通る前記ストック材料の横幅に対応する方向に前記外側構造から延在する横方向障壁部材を含む、請求項１に記載のダンネージシステム。
【請求項２２】
ストック材料を供給ステーションから長手方向に引っ張り、前記ストック材料を低密度ダンネージに変換するダンネージ変換ステーションであって、
吸気部と、
前記吸気部の上流かつ前記ダンネージ変換ステーションの上流部に配置され、前記供給ステーションから引っ張られた前記ストック材料を、前記長手方向に対して略横方向に延びる横軸の周りに曲げる成形部材と、
を含み、
前記成形部材は、支持構造と、中央突出部とを含み、
前記支持構造は、前記横軸と略同じ方向に延在し、前記ストック材料を前記横軸の周りに曲げ、
前記支持構造の表面から放射状に広がる前記中央突出部は、前記支持構造よりも前記ストック材料の屈曲部内により深く突出し、前記ストック材料が前記支持構造および前記中央突出部を横切って長手方向に移動可能なように、前記ストック材料を、前記横軸と、ストック材料内のほぼ中央に長手方向に延在する長手方向軸との両方の周りに曲げる、
ダンネージ変換ステーション。
【請求項２３】
前記ストック材料をさらに含む、請求項１３に記載のダンネージシステム。
【手続補正２】
【補正対象書類名】明細書
【補正対象項目名】発明の名称
【補正方法】変更
【補正の内容】
【発明の名称】ダンネージシステム及びダンネージ変換ステーション。
【手続補正書】
【提出日】令和3年4月19日(2021.4.19)
【手続補正１】
【補正対象書類名】明細書
【補正対象項目名】００２９
【補正方法】変更
【補正の内容】
【００２９】
「非抗菌組成物」という用語は、使用中に１．５ｌｏｇ未満、１．０ｌｏｇ未満、０．５ｌｏｇ未満を含む２．０ｌｏｇ未満の微生物殺傷を達成する組成物を意味する。「非抗菌組成物」という用語は、非抗菌組成物、非抗ウイルス組成物、非抗真菌組成物、および非抗寄生虫組成物を含む。本発明の概念によれば、本明細書に定義されるように、非抗菌組成物は、使用中、２．５ｌｏｇ以下、２．０ｌｏｇ以下、および１．５ｌｏｇ以下を含めて、３．０ｌｏｇ以下の微生物除去レベルを達成する。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
複数の凝集体を得て；
凝固して固化ポリマー材料を製造することができる成分を含む液体担体に前記複数の凝集体を導入し；そして
複合材料を製造するために前記複数の凝集体を前記液体担体と混合するステップを有し；各前記凝集体が、
複数の導電性又は半導電性粒子を得て；
造粒容器内で前記複数の導電性又は半導電性粒子を混合し、当該混合工程がフルード数２２０と１１００の間で前記造粒容器を運転し；そして
前記複数の凝集体を形成するために造粒バインダを添加することによって前記複数の導電性粒子又は半導電性粒子を接着させることによって予め形成される、
複合材料の製造方法。
【請求項２】
前記造粒容器が遠心ミキサを含む請求項１記載の複合材料の製造方法。
【請求項３】
遠心ミキサが２軸の回転を有する請求項２記載の複合材料の製造方法。
【請求項４】
前記遠心ミキサが１０００と３５００ｒｐｍの間の速度で回転する請求項２又は請求項３記載の複合材料の製造方法。
【請求項５】
前記造粒バインダは、前記複数の導電性又は半導電性粒子とバインダの割合が１０：１重量／重量で添加される請求項１ないし４のいずれか１項記載の複合材料の製造方法。
【請求項６】
前記造粒バインダがシリコーン液体バインダを含む請求項１ないし５のいずれか１項記載の複合材料の製造方法。
【請求項７】
各前記凝集体が、複数のくぼみを有する表面を含み、４０マイクロメートルを超える最大寸法を有する請求項１記載の複合材料の製造方法。
【請求項８】
各前記凝集体が４及び２０マイクロメートルの間の最大寸法を有する請求項１記載の複合材料の製造方法。
【請求項９】
各前記凝集体が４及び１０マイクロメートルの間の最大寸法を有する請求項８記載の複合材料の製造方法。
【請求項１０】
前記複数の導電性又は半導電性粒子がアンチモンドープ酸化スズ球状粒子を含む請求項１ないし９のいずれか１項記載の複合材料の製造方法。
【請求項１１】
各前記導電性又は半導電性粒子が１０及び１００ナノメートルの間の最大寸法を有する請求項１ないし１０のいずれか１項記載の複合材料の製造方法。
【請求項１２】
複数の導電性又は半導電性粒子を得て；
造粒容器内で前記複数の導電性又は半導電性粒子を混合し、該混合ステップが２２０と１１００の間のフルード数で前記造粒容器を運転することを含み；そして
複数の凝集体を形成するために造粒バインダを添加することによって前記複数の導電性又は半導電性粒子を接着させる
ステップを有し、
前記導電性又は半導電性粒子を得て、混合及び接着する各ステップは、前記複数の凝集体を電気応答性複合材料内に導入する前に、前記複数の凝集体を予め形成する、電気応答性複合材料包含用の複数の凝集体の製造方法。
【請求項１３】
各凝集体が所定のサイズ範囲内にあることを保証するためにサイズ選択プロセスを実行するステップを更に含む請求項１２記載の複数の凝集体の製造方法。
【請求項１４】
前記サイズ選択プロセスが篩分けを含む請求項１３記載の複数の凝集体の製造方法。
【請求項１５】
加熱プロセスにより各前記凝集体を硬化させるステップを更に含む複数の請求項１２ないし１４のいずれか１項記載の複数の凝集体の製造方法。
【手続補正２】
【補正対象書類名】明細書
【補正対象項目名】０００６
【補正方法】変更
【補正の内容】
【０００６】
本発明の第２の観点によれば、複数の導電性又は半導電性粒子を得て；造粒容器内で前記複数の導電性又は半導電性粒子を混合し、該混合ステップが２２０と１１００の間のフルード数で前記造粒容器を運転することを含み；そして、複数の凝集体を形成するために造粒バインダを添加することによって前記複数の導電性又は半導電性粒子を接着させるステップを有し、前記導電性又は半導電性粒子を得て、混合及び接着する各ステップは、前記複数の凝集体を電気応答性複合材料内に導入する前に、前記複数の凝集体を予め形成する、電気応答性複合材料包含用の複数の凝集体の製造方法を提供する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
ポリマーベースの格子状の支持部材であって、
外周部と、
前記外周部内に配置されており、前記外周部に接続された複数の斜め交差部材と、
を備えており、
前記複数の斜め交差部材は、前記ポリマーベースの格子状の支持部材の複数のボイドを規定する、ポリマーベースの格子状の支持部材。
【請求項２】
前記外周部は、弓状の第１縁部と弓状の第２縁部とを備えており、
前記弓状の第１縁部は、近位の頂点と遠位の頂点とで前記弓状の第２縁部に接続されており、
前記複数の斜め交差部材の少なくとも一部が、前記弓状の第１縁部と前記弓状の第２縁部とに接続されている、請求項１に記載のポリマーベースの格子状の支持部材。
【請求項３】
前記ポリマーベースの格子状の支持部材の厚さが変化する、請求項２に記載のポリマーベースの格子状の支持部材。
【請求項４】
衣服用の支持カップであって、
カップカバーと、
請求項１乃至３の何れかに記載のポリマーベースの格子状の支持部材と、
を備えており、前記ポリマーベースの格子状の支持部材は、前記カップカバーに隣接している、支持カップ。
【請求項５】
アンダーワイヤを含んでいない、請求項４に記載の支持カップ。
【請求項６】
前記カップカバーは第１カップカバーであり、
第２カップカバーを更に備えており、
前記ポリマーベースの格子状の支持部材は、前記第１カップカバーと前記第２カップカバーの間に配置されている、請求項４に記載の支持カップ。
【請求項７】
請求項４に記載の支持カップを備える衣服。
【請求項８】
女性用の支持衣服である、請求項７に記載の衣服。
【請求項９】
男性用の支持衣服である、請求項７に記載の衣服。
【請求項１０】
前記支持カップはバイオメトリックスセンサを含む、請求項７に記載の衣服。
【請求項１１】
衣服用支持カップの製造方法において、
ポリマーベースの格子状の支持部材を作製する工程であって、前記ポリマーベースの格子状の支持部材は身体構造支持部を含んでおり、前記身体構造支持部は、前記格子状の支持部材の弓状の縁部の間に配置された複数の斜め交差部材を備えている、工程と、
少なくとも第１のカップカバーに隣接して前記ポリマーベースの格子状の支持部材を配置する工程と、
前記ポリマーベースの格子状の乳房支持部材と前記第１のカップカバーとを支持カップに形成する工程と、
を含む、方法。
【請求項１２】
周辺機器を使用して着用者の身体構造部分をスキャンし、前記着用者のデジタルプロファイルを作成する工程と、
前記着用者のデジタルプロファイルに基づいて３Ｄデジタル画像を作成する工程と、
を含んでおり、
作製する工程は、前記３Ｄデジタル画像に基づいて前記ポリマーベースの格子状の支持部材を作製する工程を含んでいる、請求項１１に記載の方法。
【請求項１３】
（i）前記着用者のデジタルプロファイルに基づいた前記ポリマーベースの格子状の支持部材のサイズ、及び（ii）前記着用者のデジタルプロファイルに基づいた前記ポリマーベースの格子状の支持部材の厚さの少なくとも一方をカスタマイズする工程を含む、請求項１２に記載の方法。
【請求項１４】
作製する工程は、前記ポリマーベースの格子状の支持部材をドーム型の格子状の乳房支持部材として作製する工程を含んでおり、
配置する工程は、前記ドーム型の格子状の乳房支持部材を前記第１のカップカバーに隣接して配置する工程を含んでおり、
形成する工程は、前記ドーム型の格子状の乳房支持部材と、前記第１のカップカバーとをドーム型の支持カップに形成する工程を含む、請求項１１に記載の方法。
【請求項１５】
格子状の支持部材において、
（ａ）外周部と、
（ｂ）格子状の母材部であって、
（ｉ）前記外周部の上部から前記外周部の底部まで延びる第１の縦方向リブと、
（ii）前記外周部の上部から前記外周部の底部まで延びる第２の縦方向リブと、
（iii）前記第１の縦方向リブと前記第２の縦方向リブとに接続されて、それらの間に配置された複数の交差部材と、
を備える、格子状の母材部と、
（ｃ）前記外周部から前記第１の縦方向リブ及び前記第２の縦方向リブの少なくとも一方に延びる１又は複数の支持アームと、
を備える、格子状の支持部材。
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
表面をコーティングするための複合樹脂であって、
（ｉ）銀ナノ粒子；および
（ｉｉ）少なくともいくつかの前記銀ナノ粒子と相互作用して銀ナノ粒子の凝集を防止または最小化できる官能基を有するポリマー；
ここで前記銀ナノ粒子は、外部還元剤の添加または適用なしで、前記ポリマーの前記官能基による銀イオンの還元によって形成される、ことを含む複合樹脂。
【請求項２】
前記官能基が、エステル、エーテル、アミン、イミン、ニトリル、エポキシド、ヒドロキシル、カルボキシルおよびカルボン酸を含む群から選択される、請求項１に記載の複合樹脂。
【請求項３】
前記ポリマーがアクリル、ポリオール、アミンまたはエポキシポリマーである、請求項１または２に記載の複合樹脂。
【請求項４】
前記ポリマーが、メチルアクリレート、エチルアクリレート、ブチルアクリレート、メチルメタクリレート、ブチルメタクリレート、アクリロニトリル、ポリエーテルポリオール、ポリエステルポリオール、ポリカーボネートポリオール、ポリ（メタ）アクリレートポリオール、ポリアミン、ビスフェノールＡエポキシ、およびビスフェノールＦエポキシポリマーを含む群から選択される、請求項１〜３のいずれか一項に記載の複合樹脂。
【請求項５】
前記外部還元剤が、ＵＶ光、ラジカル開始剤、重合剤または１００°Ｃ以上の温度での加熱である、請求項４に記載の複合樹脂。
【請求項６】
前記外部還元剤が、クエン酸三ナトリウム、水素化ホウ素ナトリウム、塩酸ヒドロキシルアミン、ヒドラジン、アスコルビン酸、エチレンジアミン四酢酸（ＥＤＴＡ）、ポリビニルピロリドン、ジメチルホルムアミド、植物抽出物、および水素ガスを含む群から選択される、請求項４に記載の複合樹脂。
【請求項７】
前記銀ナノ粒子が安定化され、外部安定剤を添加することなく銀ナノ粒子の凝集を防止または最小化する、請求項１〜６のいずれか一項に記載の複合樹脂。
【請求項８】
前記安定剤が、クエン酸三ナトリウム、ポリビニルピロリドン、ポリビニルアルコール、オレイルアミン、セチルトリメチルアンモニウムブロミド、ポリ（Ｎ−イソプロピルアクリルアミド）、糖、脂肪酸、およびドデシル硫酸ナトリウムを含む群から選択される、請求項７に記載の複合樹脂。
【請求項９】
表面上の保護コーティングの形態である、請求項１〜８のいずれか一項に記載の複合樹脂。
【請求項１０】
１日あたり１ｃｍ  ２あたり１０億分の１未満の銀浸出率を有する、請求項１〜９のいずれか一項に記載の複合樹脂。
【請求項１１】
銀イオンを金属銀ナノ粒子に還元するための外部試薬が添加または適用されない前提で、前記銀イオンの少なくとも一部が金属銀ナノ粒子に還元される銀イオン溶液と、還元性官能基を有するポリマーを接触させることを含む、銀ナノ粒子を含有する複合樹脂の調製方法。
【請求項１２】
前記還元性官能基が、エステル、エーテル、アミン、イミン、ニトリル、カルボキシル、エポキシド、ヒドロキシル、カルボン酸を含む群から選択される、請求項１０に記載の方法。
【請求項１３】
前記ポリマーが、アクリル、ポリオール、アミンまたはエポキシポリマーである、請求項１０または１１に記載の方法。
【請求項１４】
前記ポリマーが、メチルアクリレート、エチルアクリレート、ブチルアクリレート、メチルメタクリレート、ブチルメタクリレート、アクリロニトリル、ポリエーテルポリオール、ポリエステルポリオール、ポリカーボネートポリオール、ポリ（メタ）アクリレートポリオール、アミン、ビスフェノールＡエポキシ、およびビスフェノールＦエポキシポリマーを含む群から選択される、請求項１０〜１２のいずれか一項に記載の方法。
【請求項１５】
前記外部還元剤が、ＵＶ光、ラジカル開始剤、重合剤または１００°Ｃ以上の温度での加熱である、請求項１０〜１３のいずれか一項に記載の方法。
【請求項１６】
前記外部還元剤が、クエン酸三ナトリウム、水素化ホウ素ナトリウム、塩酸ヒドロキシルアミン、ヒドラジン、アスコルビン酸、エチレンジアミン四酢酸（ＥＤＴＡ）、ポリビニルピロリドン、ジメチルホルムアミド、植物抽出物、水素ガス、およびラジカル開始剤を含む群から選択される、請求項１０〜１３のいずれか一項に記載の方法。
【請求項１７】
銀ナノ粒子の凝集を防止または最小化するための安定剤が添加されないことをさらに提供する、請求項１０〜１５のいずれか一項に記載の方法。
【請求項１８】
前記安定剤が、クエン酸三ナトリウム、ポリビニルピロリドン、ポリビニルアルコール、オレイルアミン、セチルトリメチルアンモニウムブロミド、ポリイソプロピルアクリルアミド、糖、脂肪酸およびドデシル硫酸ナトリウムを含む群から選択される、請求項１６に記載の方法。
【請求項１９】
前記ポリマーを銀塩の溶液と接触させる、請求項１０〜１７のいずれか一項に記載の方法。
【請求項２０】
前記銀塩が硝酸銀、酢酸銀、炭酸銀、過塩素酸銀、リン酸銀、トリフルオロ酢酸銀、安息香酸銀、及び乳酸銀を含む群から選択される、請求項１８に記載の方法。
【請求項２１】
抗菌コーティングとしての、請求項１〜９のいずれか１項に記載の複合樹脂の使用。
【請求項２２】
前記抗菌コーティングが、抗細菌コーティングである、請求項２０に記載の使用。
【請求項２３】
前記抗細菌コーティングが、医療機器、暖房換気装置、空調設備、空気もしくはその他の流体用ダクトおよび配管、貯水槽、壁、床、天井、または、食品および飲料の製造装置または包装の表面コーティングである、請求項２１に記載の使用。
【請求項２４】
防汚コーティングとしての請求項１〜９のいずれか１項に記載の複合樹脂の使用。
【請求項２５】
防汚コーティングが、水没した表面上のコーティングである、請求項２３に記載の使用。
【手続補正書】
【提出日】令和3年3月2日(2021.3.2)
【手続補正１】
【補正対象書類名】特許請求の範囲
【補正対象項目名】全文
【補正方法】変更
【補正の内容】
【特許請求の範囲】
【請求項１】
放射率増加のための被膜（２）を有する高融点金属又は高融点金属合金からなる高温部品（１）であって、
前記被膜が窒化タンタル及び／又は窒化ジルコニウムとタングステンとから実質的になり、そのタングステン含有量が０〜９８重量％である、高温部品（１）。
【請求項２】
前記被膜（２）がＰＶＤ層として形成されている、請求項１に記載の高温部品（１）。
【請求項３】
前記被膜（２）が焼結層として形成されている、請求項１に記載の高温部品（１）。
【請求項４】
前記被膜（２）が窒化タンタル粒子及び／又は窒化ジルコニウム粒子とタングステン粒子との複合層として形成されている、請求項１又は３に記載の高温部品（１）。
【請求項５】
前記被膜（２）が窒化ジルコニウム及びタングステンからなり、２重量％〜７５重量％の窒化ジルコニウムを有する、請求項１〜４のいずれか一項に記載の高温部品（１）。
【請求項６】
前記被膜（２）が多孔質に形成されている、請求項１〜５のいずれか一項に記載の高温部品（１）。
【請求項７】
前記被膜（２）が前記高温部品（１）の外側に形成されている、請求項１〜６のいずれか一項に記載の高温部品（１）。
【請求項８】
前記高温部品（１）が高圧放電ランプ（５）の電極（３、４）として形成されている、請求項１〜７いずれか一項に記載の高温部品（１）。
【請求項９】
前記高温部品（１）が熱導体（６）として形成されている、請求項１〜７のいずれか一項に記載の高温部品（１）。
【請求項１０】
前記高温部品（１）がるつぼ（７）として形成されている、請求項１〜７のいずれか一項に記載の高温部品（１）。
【請求項１１】
放射率増加のための被膜（２）を有する高温部品（１）を作製するための方法であって、
前記高温部品（１）の基体を準備し、
ｉ）
前記高温部品（１）の前記基体の表面積を増大し、
前記基体を、物理蒸着により、ＺｒＮ及び／又はＴａＮ並びにタングステンを用いてもよい被膜にするか、
又は
ii）
前記基体を、粉末冶金法により、Ｚｒ含有粉末及び／又はＴａ含有粉末並びにタングステンを用いてもよい被膜にし、
前記被膜した基体を窒素含有雰囲気中で熱処理するか、
又は
iii）
前記基体を、粉末冶金法により、ＺｒＮ及び／又はＴａＮ並びにタングステンを用いてもよい被膜にし、
前記被膜した基体を窒素含有雰囲気中及び／又はアルゴン含有雰囲気中で熱処理する、
工程を含む、方法。
【請求項１２】
前記サブステップｉ）における前記高温部品（１）の前記基体の前記表面積の前記増大が前記基体のスラリー塗布により行なわれる、請求項１１に記載の方法。
【請求項１３】
前記サブステップｉ）における前記高温部品（１）の前記基体の前記表面積の前記増大が、前記基体の機械的構造化、化学的構造化又は熱的構造化により行なわれる、請求項１１に記載の方法。
【請求項１４】
前記サブステップｉｉ）又は前記サブステップｉｉｉ）において、前記基体の前記被膜は、スラリー法により行なわれる、請求項１１に記載の方法。
【請求項１５】
前記サブステップｉｉ）又はｉｉｉ）における前記熱処理は、１，４００℃を超える温度で行なわれる、請求項１１又は１４に記載の方法。
【手続補正書】
【提出日】令和3年4月13日(2021.4.13)
【手続補正１】
【補正対象書類名】特許請求の範囲
【補正対象項目名】請求項１８
【補正方法】変更
【補正の内容】
【請求項１８】
・  前記プレキャストセグメント（１）の前記円弧状構造（２）のための前記硬化時間（Ｔｃ）中に待機するステップと、
・  トンネル内に前記プレキャストセグメント（１）を設置するステップと、
・  検出された構造的な変化を分析することにより前記処理ユニット（５０）が収集したデータまたは処理したデータを監視するステップと、
を含む、
請求項１４〜１７のいずれか１項に記載の作製および監視方法（２００）。
【手続補正書】
【提出日】令和3年5月13日(2021.5.13)
【手続補正１】
【補正対象書類名】特許請求の範囲
【補正対象項目名】全文
【補正方法】変更
【補正の内容】
【特許請求の範囲】
【請求項１】
１重量％までのエチルシクロヘキサンカルボキシラートおよび少なくとも１のオドラントエステルを含むフレグランス組成物。
【請求項２】
オドラントエステルが、式（Ｉ）
【化１】
2020519744.tif 000001
で表され、３００まで（例として１３０〜２５０）の分子量を有する化合物である、式中
ｉｉ）    Ｒ１は、メチル、エチル、Ｃ３〜Ｃ６アルキル、およびＣ２〜Ｃ６アルケニルから選択され、および
Ｒ２は、１４Ｃまでの原子を含有し、−ＯＨ、−Ｃ（Ｏ）、および−Ｏ−から選択される１、２または３つの官能基を任意に含み得る炭化水素ラジカルである；または
ｉｉ）    Ｒ１は、１４Ｃまでの原子を含有し、−ＯＨ、−Ｃ（Ｏ）、および−Ｏ−から選択される１、２または３つの官能基を任意に含み得る炭化水素ラジカルであり、および
Ｒ２は、メチル、エチル、Ｃ３〜Ｃ６アルキル、およびＣ２〜Ｃ６アルケニルから選択される；または
ｉｉｉ）  Ｒ１およびＲ２は、それらが結合する原子と共に、５または６環原子を含有する環状エステルを形成し、ここで当該環は、アルキルおよびアルケニルから選択される１、２またはそれ以上の基で任意に置換され得る、
請求項１に記載のフレグランス組成物。
【請求項３】
エチルシクロヘキサンカルボキシラートおよび少なくとも１のオドラントエステルの間の重量比が、１：１０’０００’０００〜１：１００（エチルシクロヘキサンカルボキシラート：エステル）である、請求項１または２に記載のフレグランス組成物。
【請求項４】
１重量％までのエチルシクロヘキサンカルボキシラートをそこへ混合することにより得られる「増強された」匂いプロファイルを有する請求項２に定義された式（Ｉ）の少なくとも１つのエステルを含む、フレグランス組成物。
【請求項５】
請求項１〜４のいずれか一項に記載のフレグランス組成物を含む、フレグランスが付与された物品。
【請求項６】
少なくとも１のオドラントエステルを含む組成物にエチルシクロヘキサンカルボキシラートを添加するステップを含む、エステルのフルーティー特徴を増強する方法。
【請求項７】
オドラントエステルが、式（Ｉ）
【化２】
2020519744.tif 000002
で表され、３００まで（例として１３０〜２５０）の分子量を有する化合物である、式中
ｉｉｉ）  Ｒ１は、メチル、エチル、Ｃ３〜Ｃ６アルキル、およびＣ２〜Ｃ６アルケニルから選択され、および
Ｒ２は、１４Ｃまでの原子を含有し、−ＯＨ、−Ｃ（Ｏ）、および−Ｏ−から選択される１、２または３つの官能基を任意に含み得る炭化水素ラジカルである；または
ｉｉ）    Ｒ１は、１４Ｃまでの原子を含有し、−ＯＨ、−Ｃ（Ｏ）、および−Ｏ−から選択される１、２または３つの官能基を任意に含み得る炭化水素ラジカルであり、および
Ｒ２は、メチル、エチル、Ｃ３〜Ｃ６アルキル、およびＣ２〜Ｃ６アルケニルから選択される；または
ｉｉｉ）  Ｒ１およびＲ２は、それらが結合する原子と共に、５または６環原子を含有する環状エステルを形成し、ここで当該環は、アルキルおよびアルケニルから選択される１、２またはそれ以上の基で任意に置換され得る、
請求項６に記載の方法。
【請求項８】
エチルシクロヘキサンカルボキシラートおよび少なくとも１のオドラントエステルの間の重量比が、１：１０’０００’０００〜１：１００（エチルシクロヘキサンカルボキシラート：エステル）である、請求項６または７に記載の方法。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
外科カメラナビゲーションを訓練するためのデバイスであって、
平坦上面を備えたインサートを備え、
前記インサートは、前記平坦上面の上に配置された複数のターゲットを備え、
前記複数のターゲットの各々が、予め定められた形状の投影を有し、
前記複数のターゲットの各々が  前記インサートの上方に位置付けられた点に関する外科スコープの方位に向くように構成され、
前記方位は、前記複数のターゲットの１つの前記予め定められた形状が、ビデオ表示画面上で異なる予め定められた形状として現れるように、該ターゲットを前記ビデオ表示画面と一致させる、
ことを特徴とするデバイス。
【請求項２】
前記複数のターゲットは、２次元ターゲットであって、前記平坦上面の上に平らに配置されることを特徴とする、請求項１に記載のデバイス。
【請求項３】
前記ターゲットの前記予め定められた形状は、台形であることを特徴とする、請求項１に記載のデバイス。
【請求項４】
前記ターゲットが前記ビデオ表示画面と一致させられた後の、前記異なる予め定められた形状は、矩形であることを特徴とする、請求項３に記載のデバイス。
【請求項５】
前記外科スコープはカメラセンサを有し、
前記ビデオ表示画面は前記カメラセンサに作動可能に接続されていることを特徴とする、請求項１に記載のデバイス。
【請求項６】
前記インサートの上方に位置付けられた点は、前記外科スコープが枢動する支点であることを特徴とする、請求項１に記載のデバイス。
【請求項７】
前記インサートは他のインサートと交換可能であり、各交換可能なインサートは、前記外科スコープを用いた異なる外科手順を模擬することを特徴とする、請求項１に記載のデバイス。
【請求項８】
前記インサートは透明であることを特徴とする、請求項７に記載のデバイス。
【請求項９】
前記ビデオ表示画面は、画面周囲を有し、そして幅対高さの予め定められたアスペクト比とを有し、前記複数のターゲットの各々は、前記ビデオ表示画面の前記予め定められたアスペクト比と等しいアスペクト比を有することを特徴とする、請求項２に記載のデバイス。
【請求項１０】
前記複数のターゲットの各々は、
前記インサートに対する、前記複数のターゲットの各々の方位を示す基準マーカ、
前記複数のターゲットのシーケンス又は順番を示すシーケンスマーカ、
前記複数のターゲットの各々を少なくとも１つの固定基準と位置合わせする位置合わせマーカ、
前記複数のターゲットの前記シーケンス又は順番内の次のターゲットへの方向情報を示す方向マーカ、又は
前記複数のターゲットの各々の、前記ビデオ表示画面に対する正しい上下関係の方位を示すように構成された方位マーカ、
の１又は２以上を含むことを特徴とする、請求項１に記載のデバイス。
【請求項１１】
前記方向マーカは、矢印又は前記複数のターゲットの各々の周囲に位置する不連続部であることを特徴とする、請求項１０に記載のデバイス。
【請求項１２】
前記基準マーカは、番号、文字、画像、前記ターゲットの底部と平行でありかつそれに一致する又は隣接する線、前記ターゲットの上部と平行でありかつそれに一致する又は隣接する線、前記ターゲットの右辺と平行でありかつそれに一致する又は隣接する線、前記ターゲットの左辺と平行でありかつそれに一致する又は隣接する線から構成される群から選択されることを特徴とする、請求項１０に記載のデバイス。
【請求項１３】
前記デバイスは更に箱訓練機を備え、該箱訓練機は、
前記インサートを受け入れるようなサイズにされ、かつ前記インサートを受け入れるように構成された平面ベースと、
前記平面ベースから離間した上部であって、該上部と前記平面ベースの間にキャビティを定める上部と、を備え、
前記上部は、そこを通して前記外科スコープを挿入するように構成されたポートを有し、前記インサートと前記複数のターゲットは平坦で、前記平面ベースと平行に配置されることを特徴とする、請求項１に記載のデバイス。
【請求項１４】
前記位置合わせマーカは、かぎ括弧、前記ターゲットの外周、該ターゲットの内周、境界、線から構成される群から選択されることを特徴とする、請求項１０に記載のデバイス。
【請求項１５】
前記複数のターゲットの２又は３以上が、互いに重なっていることを特徴とする請求項１に記載のデバイス。
【請求項１６】
前記複数のターゲットの各々が、前記外科スコープの異なる方位を定めることを特徴とする、請求項１に記載のデバイス。
【請求項１７】
前記複数のターゲットの１又は２以上は、内周及び外周を含み、前記内周は４つのコーナを含み、前記内周の前記４つのコーナは、前記ビデオ表示画面と位置合わせされるように構成されていることを特徴とする、請求項１に記載のデバイス。
【請求項１８】
前記予め定められた形状は、少なくとも１つの真っ直ぐな辺を有し、該少なくとも１つの真っ直ぐな辺を前記ビデオ表示画面と一致させる方位は、前記ビデオ表示画面の辺の少なくとも一部分と一致するか又は重ね合わせられる前記少なくとも１つの真っ直ぐな辺に対応する、請求項１に記載のデバイス。
【請求項１９】
前記複数のターゲットの１又は２以上が、前記インサートの前記平坦上面に対して角形成する、異なる３次元形状の上に印刷されることを特徴とする、請求項１に記載のデバイス。
【請求項２０】
前記３次元形状の１又は２以上は、内部空間への開口部を有し、前記開口部は、前記３次元形状の前記内部空間に配置された１又は２以上の２次ターゲットへのアクセスを提供するように構成されていることを特徴とする、請求項１９に記載のデバイス。
【手続補正書】
【提出日】令和3年7月12日(2021.7.12)
【手続補正１】
【補正対象書類名】特許請求の範囲
【補正対象項目名】全文
【補正方法】変更
【補正の内容】
【特許請求の範囲】
【請求項１】
腎代替療法を必要とする対象または腎代替療法を受けている対象において腎臓のストレスを特定するための方法であって、
前記対象から得られた尿サンプルにおいて測定された、（ｉ）ＩＧＦＢＰ７（インスリン様増殖因子結合タンパク質７）の尿中濃度とＴＩＭＰ−２（組織メタロプロテアーゼ阻害物質２）の尿中濃度の複合、（ｉｉ）ＴＩＭＰ−２の尿中濃度、または（ｉｉｉ）ＩＧＦＢＰ７の尿中濃度、に基づいてリスクスコアを計算するステップと、
前記リスクスコアが閾値を超えていることを決定するステップと、
を含む、方法。
【請求項２】
前記対象を、間欠的血液透析での処置と比較して少ない腎臓のストレスをもたらす腎代替療法の方法の候補者として選択することをさらに含む、請求項１に記載の方法。
【請求項３】
間欠的血液透析での処置から前記対象を除外することをさらに含む、請求項１に記載の方法。
【請求項４】
前記間欠的血液透析での処置と比較して少ない腎臓のストレスをもたらす腎代替療法の方法が、持続的腎代替療法（ＣＲＲＴ）または長期間の間欠的腎代替療法（ＰＩＲＲＴ）である、請求項２に記載の方法。
【請求項５】
前記リスクスコアが、ＩＧＦＢＰ７の濃度とＴＩＭＰ−２の濃度の乗算により計算される、請求項１〜４のいずれか１項に記載の方法。
【請求項６】
前記リスクスコアが、式：（［ＴＩＭＰ−２］×［ＩＧＦＢＰ７］）／１０００に基づいて計算され、ここでＩＧＦＢＰ７の濃度およびＴＩＭＰ−２の濃度は、それぞれｎｇ／ｍＬで測定される、請求項５に記載の方法。
【請求項７】
前記閾値が、約２．０である、請求項６に記載の方法。
【請求項８】
前記ＩＧＦＢＰ７の尿中濃度および／または前記ＴＩＭＰ−２の尿中濃度は、前記対象から得られた尿サンプルをイムノアッセイ器具に導入することにより測定され、前記イムノアッセイ器具は、固相と、前記固相の第１の位置に固定されたＩＧＦＢＰ７抗体および前記固相の第２の位置に固定されたＴＩＭＰ−２抗体のうちの１つまたは両方とを含み、前記器具は、前記第１の位置および前記第２の位置のうちの１つまたは両方と前記尿サンプルを接触させ、
前記器具は、前記第１の位置に固定されたＩＧＦＢＰ７抗体に結合するＩＧＦＢＰ７の量を測定し、これから前記尿サンプル中のＩＧＦＢＰ７の濃度を決定し、かつ／または前記器具は、前記第２の位置に固定されたＴＩＭＰ−２抗体に結合するＴＩＭＰ−２の量を測定し、これから前記尿サンプル中のＴＩＭＰ−２の濃度を決定し、
前記器具は、任意選択で、前記尿サンプル中のＩＧＦＢＰ７の濃度およびＴＩＭＰ−２の濃度を前記リスクスコアに数学的に組み合わせてもよく、
前記器具は、前記リスクスコアをヒトが読み取り可能な形態で記録する、
請求項１〜７のいずれか１項に記載の方法。
【請求項９】
前記対象から得られた尿サンプルが、さらに、第１の検出可能な標識とコンジュゲートされた第２のＩＧＦＢＰ７抗体および第２の検出可能な標識とコンジュゲートされた第２のＴＩＭＰ−２抗体と接触させられ；第１のサンドイッチ複合体が、前記ＩＧＦＢＰ７抗体、前記尿サンプルに存在するＩＧＦＢＰ７、および前記第２のＩＧＦＢＰ７抗体の間で形成され；第２のサンドイッチ複合体が、前記ＴＩＭＰ−２抗体、前記尿サンプルに存在するＴＩＭＰ−２、および前記第２のＴＩＭＰ−２抗体の間で形成され；前記尿サンプルにおけるＩＧＦＢＰ７の量が、前記第１の位置で結合した前記第１の検出可能な標識を検出する器具により決定され；前記尿サンプルにおけるＴＩＭＰ−２の量が、前記第２の位置で結合した前記第２の検出可能な標識を検出する器具により決定される、
請求項８に記載の方法。
【請求項１０】
前記対象が、集中治療室の患者である、請求項１〜９のいずれか１項に記載の方法。
【請求項１１】
前記対象が、急性腎障害を有する、請求項１〜１０のいずれか１項に記載の方法。
【請求項１２】
前記対象が、敗血症を有する、請求項１〜１１のいずれか１項に記載の方法。
【請求項１３】
前記対象が、外科手術から回復中である、請求項１〜１１のいずれか１項に記載の方法。
【請求項１４】
前記尿サンプルが前記対象から得られる時点において前記対象が腎代替療法を受けている、請求項１〜１３のいずれか１項に記載の方法。
【請求項１５】
前記リスクスコアが、進行中の腎代替療法をモニタリングするために使用され、前記リスクスコアが前記閾値を超える場合、前記進行中の腎代替療法により前記対象から除去される体液量の速度または量が低減している、かつ／または前記進行中の腎代替療法による溶質のクリアランス速度が低減している、請求項１４に記載の方法。
【請求項１６】
前記リスクスコアが、進行中の腎代替療法をモニタリングするために使用され、前記リスクスコアが前記閾値を超える場合、前記進行中の腎代替療法のプロトコルが、前記進行中の腎代替療法に関連する血液低下作用または用量を低減するように調節される、請求項１４に記載の方法。
【手続補正書】
【提出日】令和3年4月16日(2021.4.16)
【手続補正１】
【補正対象書類名】特許請求の範囲
【補正対象項目名】全文
【補正方法】変更
【補正の内容】
【特許請求の範囲】
【請求項１】
ビデオフレームデータを複数のＶＲディスプレイに配信する方法であって、
複数のＶＲディスプレイのコンテンツを生成することと、
前記複数のＶＲディスプレイのリアルタイム要件を有するリソースに対するニーズの競合を検知することと、
リアルタイム要件を有するリソースに対するニーズの競合が検知された場合に、前記複数のＶＲディスプレイのリソースに対するニーズ間の競合を回避するために、前記複数のＶＲディスプレイをリフレッシュするための選択されたリフレッシュオフセットを決定することと、
前記選択されたリフレッシュオフセットを適用することと、
前記コンテンツを前記複数のＶＲディスプレイに配信することと、を含む、
方法。
【請求項２】
前記リソースは、レンダリング及び非同期タイムワープ要求のための計算を含む、
請求項１の方法。
【請求項３】
前記複数のディスプレイは動的リフレッシュをサポートし、
前記方法は、
リアルタイム要件を有するリソースに対するニーズの競合が検知された場合に、前記複数のＶＲディスプレイによるリソースに対するニーズの競合を回避するのをサポートするために、前記複数のＶＲディスプレイをリフレッシュするための選択された動的リフレッシュレートを決定することと、
前記選択されたリフレッシュオフセット及び前記動的リフレッシュレートを適用することと、を含む、
請求項１の方法。
【請求項４】
前記リソースは、レンダリング及び非同期タイムワープ要求のための計算を含む、
請求項３の方法。
【請求項５】
前記コンテンツを生成することは、単一のＧＰＵによって実行される、
請求項１の方法。
【請求項６】
複数のＶＲディスプレイのコンテンツを生成することは、
ＧＰＵを用いて、前記複数のＶＲディスプレイのうち１つのＶＲディスプレイのコンテンツを生成することと、
別のＧＰＵを用いて、前記複数のＶＲディスプレイのうち別のＶＲディスプレイのコンテンツを生成又は配信することと、を含む、
請求項１の方法。
【請求項７】
前記ＧＰＵがマスタとして構成され、前記別のＧＰＵがスレーブとして構成され、前記マスタは、スレーブＧＰＵによって生成又は配信されたフレームの前記選択されたリフレッシュオフセットを制御する、
請求項６の方法。
【請求項８】
仮想現実コンピューティングシステムであって、
コンピューティングデバイスと、
プロセッサと、を備え、
前記プロセッサは、
複数のＶＲディスプレイのコンテンツを生成することと、
前記複数のＶＲディスプレイのリアルタイム要件を有するリソースに対するニーズの競合を検知することと、
リアルタイム要件を有するリソースに対するニーズの競合が検知された場合に、前記複数のＶＲディスプレイのリソースに対するニーズ間の競合を回避するために、前記複数のＶＲディスプレイをリフレッシュするための選択されたリフレッシュオフセットを決定することと、
前記選択されたリフレッシュオフセットを適用することと、
前記コンテンツを前記複数のＶＲディスプレイに配信することと、
を行うための命令を実行するように動作可能である、
仮想現実コンピューティングシステム。
【請求項９】
前記複数のＶＲディスプレイを備える、
請求項８の仮想現実コンピューティングシステム。
【請求項１０】
前記プロセッサは、ＣＰＵ、ＧＰＵ、又は、ＣＰＵ及びＧＰＵの組み合わせを含む、
請求項８の仮想現実コンピューティングシステム。
【請求項１１】
前記コンピューティングデバイスは、別のプロセッサを備え、
前記プロセッサが前記複数のＶＲディスプレイのうち１つＶＲディスプレイのコンテンツを生成し、前記別のプロセッサが前記複数のＶＲディスプレイのうち別のＶＲディスプレイのコンテンツを生成又は配信する、
請求項８の仮想現実コンピューティングシステム。
【請求項１２】
前記プロセッサがマスタとして構成され、前記別のプロセッサがスレーブとして構成され、前記マスタは、スレーブプロセッサによって生成又は配信されたフレームの前記選択されたリフレッシュオフセットを制御する、
請求項１１の仮想現実コンピューティングシステム。
【請求項１３】
前記複数のディスプレイは動的リフレッシュをサポートし、
前記プロセッサは、リアルタイム要件を有するリソースに対するニーズの競合が検知された場合に、
前記複数のＶＲディスプレイのリソースに対するニーズ間の競合を回避することをサポートするために、前記複数のＶＲディスプレイをリフレッシュするための選択された動的リフレッシュレートを決定することと、
前記選択されたリフレッシュオフセット及び前記動的リフレッシュレートを適用することと、
を行うように動作可能である、
請求項８の仮想現実コンピューティングシステム。
【手続補正書】
【提出日】令和3年5月10日(2021.5.10)
【手続補正１】
【補正対象書類名】明細書
【補正対象項目名】００６１
【補正方法】変更
【補正の内容】
【００６１】
上記のことに加えて、又はその代わりに、上記の結果として、方向性がある、プロセッサ１２４及び１２６又は検出器１００からの応答が生じる。しかしながら、例示的な実施態様の結果として、応答変動の大きさが、単数又は複数の所定の軸に対する遷移の運動の角度に大きく依存する可能性がある。それゆえ、上記のような例示的な実施態様は、運動の水平成分及び垂直成分が所定の方式において互いを抑制するように構成される運動抑制手段（motion inhibitors）で実現又は補完することができる。所定の態様が、例えば、以下のような除算を含む例を実現することができる。
【数５０】
2020519998.tif 000001
ただし、ｈｏｒｉｚは水平運動の大きさであり、β’’は定数であり、δ’’は定数であり、ｖｅｒｔは垂直運動の大きさであり、及び／又は、
【数５１】
2020519998.tif 000002
ただし、ｈｏｒｉｚは水平運動の大きさであり、β’’は定数であり、δ’’は定数であり、ｖｅｒｔは垂直運動の大きさである。